【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
所定のアスペクト比の動画を記録し、動画を再生可能なデジタルカメラにおいて、
前記所定のアスペクト比よりも大きいワイドアスペクト比のモニタ画面を有する表示部と、
再生時に、記録されている動画の中から選択した動画を前記モニタ画面上の所定の動画表示領域に再生表示する動画再生手段と、
前記動画表示領域に表示されている動画から任意の静止画を切り取る指示を出すための切り取り指示操作手段と、
前記切り取り指示操作手段の操作により切り取り指示が出されたとき、前記動画表示領域に表示されている動画から切り取り指示があった時点の静止画を切り取ってモニタ画面上の所定の静止画表示領域に表示する静止画表示手段と、
を備えたことを特徴とするデジタルカメラ。
【請求項２】
前記動画切り取り指示手段による動画切り取り指示があると、所定のタイミングまで前記動画再生手段による動画の再生を一時停止する
ことを特徴とする請求項１に記載のデジタルカメラ。
【請求項３】
前記所定のアスペクト比は３：４である
ことを特徴とする請求項２に記載のデジタルカメラ。
【請求項４】
前記静止画表示領域は複数の表示領域からなり、
更に、スクロール指示操作手段と、
前記スクロール指示操作手段によるスクロール指示があると、第１の静止画表示領域に表示されている静止画像の前または後の静止画を前記動画から切り出して表示するスクロール画像表示手段と、
を備えたことを特徴とする請求項３記載のデジタルカメラ。
【請求項５】
前記スクロール画像表示手段は、
前記スクロール指示操作手段による前方スクロール指示があると、前記動画の中から第１の静止画表示領域に表示されている静止画より前のコマの静止画を切り出す手段と、切り出した静止画を第１の他の静止画表示領域に表示する手段と、
前記スクロール指示操作手段による後方スクロール指示があると、前記動画の中から第１の静止画表示領域に表示されている静止画より後のコマの静止画を切り出す手段と、切り出した静止画を第１の静止画表示領域に表示する手段と、第１の静止画表示領域に表示されていた静止画を他の静止画表示領域に表示する手段と、
を含むことを特徴とする請求項４に記載のデジタルカメラ。
【請求項６】
前記静止画表示領域は複数の表示領域からなり、
動画と静止画を入れ替えるための表示領域を指定する入れ替え表示領域指定手段と、
前記動画表示領域に表示されている動画を前記入れ替え表示領域指定手段によって指定された静止画表示領域に表示し、前記入れ替え表示領域指定手段によって指定された静止画表示領域に表示に表示されていた静止画を前記動画表示領域に表示する画像入れ替え表示手段と、
を備えたことを特徴とする請求項１記載のデジタルカメラ。
【請求項７】
更に、前記動画表示領域及び静止画表示領域を設定する表示領域設定手段を備えたことを特徴とする請求項１記載のデジタルカメラ。
【請求項８】
前記静止画表示手段は、前記切り取った静止画を前記静止画表示領域のサイズに合うように縮小又は拡大して表示する手段を含むことを特徴とする請求項１または７記載のデジタルカメラ。
【請求項９】
前記静止画表示手段による静止画領域における静止画表示と前記動画記静止画表示手段による動画表示領域における動画表示を並行して実行する手段を備えたことを特徴とする請求項１乃至８のいずれか１項に記載のデジタルカメラ。
【請求項１０】
前記スクロール指示操作手段によるスクロール動作時に静止画領域における静止画表示と前記動画記静止画表示手段による動画表示領域における動画表示を並行して実行する手段を備えたことを特徴とする請求項１乃至８のいずれか１項に記載のデジタルカメラ。
【請求項１１】
前記入れ替え手段による画像の入れ替え時に、静止画領域における静止画表示と前記動画記静止画表示手段による動画表示領域における動画表示を並行して実行する手段を備えたことを特徴とする請求項１乃至８のいずれか１項に記載のデジタルカメラ。
【請求項１２】
前記切り取り指示操作手段による操作があると動画表示を停止する停止手段と、前記停止手段による動画表示停止を解除して動画表示を再開させる解除手段と、を備えたことを特徴とする請求項１乃至８のいずれか１項に記載のデジタルカメラ。
【請求項１３】
前記スクロール指示操作手段によるスクロール動作がなされている間は、動画表示を停止する手段を備えたことを特徴とする請求項１乃至８のいずれか１項に記載のデジタルカメラ。
【請求項１４】
所定のアスペクト比の動画を記録し、再生時に、前記所定のアスペクト比よりも大きいワイドアスペクト比のモニタ画面に前記動画を再生可能なデジタルカメラの動画像編集方法において、
再生時に、記録されている動画の中から所望の動画を選択するステップと、選択された動画を再生して前記モニタ画面上の所定の動画表示領域に再生表示するステップと、
前記動画表示領域に表示されている動画から任意の静止画を切り取る切り取り指示を検出するステップと、
前記切り取り指示を検出したとき、前記動画表示領域に表示されている動画から切り取り指示があった時点の静止画を切り取るステップと、切り取った静止画を前記モニタ画面上の所定の静止画表示領域に表示するステップと、
を備えたことを特徴とする動画編集方法。
【請求項１５】
更に、動画再生前に、前記動画表示領域及び静止画表示領域を設定するステップを備えたことを特徴とする請求項１４に記載の動画編集方法。
【請求項１６】
前記静止画表示領域は複数の表示領域からなり、更に、スクロール指示を検出するステップと、第１の静止画表示領域に表示されている静止画像の前または後の静止画を前記動画から切り出すステップと、切り出した画像を表示するステップと、を備えたことを特徴とする請求項１４に記載の動画編集方法。
【請求項１７】
前記静止画表示領域は複数の表示領域からなり、動画と静止画を入れ替えるための表示領域の指定を検出するステップと、前記動画表示領域に表示されている動画を前記指定された静止画表示領域に表示するステップと、前記指定された静止画表示領域に表示に表示されていた静止画を前記動画表示領域に表示するステップと、を備えたことを特徴とする請求項１４に記載の動画編集方法。
【請求項１８】
請求項１４乃至１７のいずれか１項に記載の動画像編集方法をデジタルカメラのコンピュータに実行させるプログラム。
【手続補正２】
【補正対象書類名】明細書
【補正対象項目名】００１１
【補正方法】変更
【補正の内容】
【００１１】
上記課題を解決するため、請求項１記載の発明では、所定のアスペクト比の動画を記録し、動画を再生可能なデジタルカメラにおいて、前記所定のアスペクト比よりも大きいワイドアスペクト比のモニタ画面を有する表示部と、再生時に、記録されている動画の中から選択した動画を前記モニタ画面上の所定の動画表示領域に再生表示する動画再生手段と、前記動画表示領域に表示されている動画から任意の静止画を切り取る指示を出すための切り取り指示操作手段と、前記切り取り指示操作手段の操作により切り取り指示が出されたとき、前記動画表示領域に表示されている動画から切り取り指示があった時点の静止画を切り取ってモニタ画面上の所定の静止画表示領域に表示する静止画表示手段と、を備えたことを特徴とするデジタルカメラを提供する。
これにより、デジタルカメラは、記録媒体に記録されている動画を再生して所望の静止画像を取得しようとする際にワイドアスペクト比のモニタ画面の領域を動画表示領域と静止画表示領域に分けて動画表示領域に動画を表示し、静止画表示領域に切り取った静止画を表示するので、切り取った静止画が動画上に重なって動画が見えなくなるようなことがない。また、動画と静止画が一定の位置に表示されるので、切り取った静止画がどこに表示されているかを探さなくてもよく、静止画が見やすい。つまり、本発明により、画面サイズ上の制限がないテレビ受信機やＤＶＤ等のような大きな画面サイズを備えた画像再生装置と比べるとサイズ上の制限により画面の活用方法が著しく制約されているデジタルカメラのワイドアスペクト比のモニタ画面の領域を有効に活用することができる。
【手続補正３】
【補正対象書類名】明細書
【補正対象項目名】００１２
【補正方法】変更
【補正の内容】
【００１２】
また、請求項２に記載の発明では、更に、前記動画切り取り指示手段による動画切り取り指示があると、所定のタイミングまで前記動画再生手段による動画の再生を一時停止することを特徴とする請求項１に記載のデジタルカメラを提供する。
これにより、ユーザーは表示されている静止画像をよく見て、所望の静止画を取得することができる。
【手続補正４】
【補正対象書類名】明細書
【補正対象項目名】００１３
【補正方法】変更
【補正の内容】
【００１３】
また、請求項３に記載の発明では、更に、前記所定のアスペクト比は３：４であることを特徴とする請求項２に記載のデジタルカメラを提供する。
これにより、アスペクト比３：４の撮像素子で撮影した画像を所定のアスペクト比のモニタ画面に表示することができる。
【手続補正５】
【補正対象書類名】明細書
【補正対象項目名】００１４
【補正方法】変更
【補正の内容】
【００１４】
また、請求項４に記載の発明では、前記静止画表示領域は複数の表示領域からなり、更に、スクロール指示操作手段と、前記スクロール指示操作手段によるスクロール指示があると、第１の静止画表示領域に表示されている静止画像の前または後の静止画を前記動画から切り出して表示するスクロール画像表示手段と、を備えたことを特徴とする請求項３記載のデジタルカメラを提供する。
これにより、ユーザが動画表示中にスクロール指示操作を行なう際、ユーザが所望する静止画像と切り出した画像が異なってもスクロール操作により、動画から前後の静止画像を切り出して所望の静止画像を取得することができる。
【手続補正６】
【補正対象書類名】明細書
【補正対象項目名】００１５
【補正方法】変更
【補正の内容】
【００１５】
また、請求項５に記載の発明では、スクロール画像表示手段は、スクロール指示操作手段による前方スクロール指示があると、動画の中から第１の静止画表示領域に表示されている静止画より前のコマの静止画を切り出す手段と、切り出した静止画を第１の他の静止画表示領域に表示する手段と、スクロール指示操作手段による後方スクロール指示があると、動画の中から第１の静止画表示領域に表示されている静止画より後のコマの静止画を切り出す手段と、切り出した静止画を第１の静止画表示領域に表示する手段と、第１の静止画表示領域に表示されていた静止画を他の静止画表示領域に表示する手段と、を含むことを特徴とする請求項４に記載のデジタルカメラを提供する。 
これにより、ユーザが動画表示中にスクロール指示操作を行なう際、ユーザのスクロール指示操作が遅れて所望の静止画像と切り出した画像が異なっても前スクロール操作により、動画から１コマずつ遡った静止画像を切り出して表示することができる。切り出した静止画より後の静止画を見たいような場合には前スクロール操作により、動画から１コマずつ後の静止画像を切り出して表示することができる。
【手続補正７】
【補正対象書類名】明細書
【補正対象項目名】００１６
【補正方法】変更
【補正の内容】
【００１６】
また、請求項６に記載の発明では、静止画表示領域は複数の表示領域からなり、動画と静止画を入れ替えるための表示領域を指定する入れ替え表示領域指定手段と、動画表示領域に表示されている動画を入れ替え表示領域指定手段によって指定された静止画表示領域に表示し、入れ替え表示領域指定手段によって指定された静止画表示領域に表示に表示されていた静止画を動画表示領域に表示する画像入れ替え表示手段と、を備えたことを特徴とする請求項１記載のデジタルカメラを提供する。 
これにより、静止画像表示領域に表示されている静止画像を動画表示領域で表示するので静止画を見やすい。また、動画表示領域に表示されていた動画は動画表示領域表示された静止画が表示されていた静止画表示領域に表示されるので、ユーザはその動画を見て切り取り指示操作を行なって動画から他の静止画を切り出すこともできる。
また、請求項７に記載の発明では、更に、動画表示領域及び静止画表示領域を設定する表示領域設定手段を備えたことを特徴とする請求項１記載のデジタルカメラを提供する。
これにより、デジタルカメラは、動画を表示する動画表示領域と切り取った静止画を表示する静止画表示領域を設定できるので、ワイドアスペクト比のモニタ画面の領域を有効に活用できる。
また、請求項８に記載の発明では、静止画表示手段は、切り取った静止画を静止画表示領域のサイズに合うように縮小又は拡大して表示する手段を含むことを特徴とする請求項１または７記載のデジタルカメラを提供する。
これにより、静止画表示領域の大きさに係わりなく切り取った静止画を静止画表示領域に表示できるので、ワイドアスペクト比のモニタ画面の領域の活用の自由度が増し更にモニタ画面の領域の有効利用が可能となる。
【手続補正８】
【補正対象書類名】明細書
【補正対象項目名】００１７
【補正方法】変更
【補正の内容】
【００１７】
また、請求項９に記載の発明では、静止画表示手段による静止画領域における静止画表示と動画記静止画表示手段による動画表示領域における動画表示を並行して実行する手段を備えたことを特徴とする請求項１乃至８のいずれか１項に記載のデジタルカメラを提供する。
これにより、切り取った静止画を表示している間でも途切れなく動画表示が行なわれるので、ユーザは動画表示領域に連続的に表示される動画を見ながら所望のタイミングで静止画像をいくつか切り出し、静止画表示領域に表示して所望の静止画像を取得することができる。また、動画表示が静止画切り出しにより途切れないので見やすく、短時間に静止画の編集を行なうことができる。
【手続補正９】
【補正対象書類名】明細書
【補正対象項目名】００１８
【補正方法】変更
【補正の内容】
【００１８】
また、請求項１０に記載の発明では、スクロール指示操作手段によるスクロール動作時に静止画領域における静止画表示と動画記静止画表示手段による動画表示領域における動画表示を並行して実行する手段を備えたことを特徴とする請求項１乃至８のいずれか１項に記載のデジタルカメラを提供する。
これにより、切り取った静止画を表示している間でも途切れなく動画表示が行なわれるので、ユーザは動画表示領域に連続的に表示される動画を見ながらスクロール指示操作を行なうことができる。
【手続補正１０】
【補正対象書類名】明細書
【補正対象項目名】００１９
【補正方法】変更
【補正の内容】
【００１９】
また、請求項１１に記載の発明では、入れ替え手段による画像の入れ替え時に、静止画領域における静止画表示と動画記静止画表示手段による動画表示領域における動画表示を並行して実行する手段を備えたことを特徴とする請求項１乃至８のいずれか１項に記載のデジタルカメラを提供する。
これにより、動画と静止画を入れ替えた後、静止画が表示されていた領域に動画と静止画を入れ替えるまえの動画から続けて動画表示が行なわれるので、動画の流れが分かりやすい。
【手続補正１１】
【補正対象書類名】明細書
【補正対象項目名】００２０
【補正方法】変更
【補正の内容】
【００２０】
また、請求項１２に記載の発明では、切り取り指示操作手段による操作があると動画表示を停止する停止手段と、停止手段による動画表示停止を解除して動画表示を再開させる解除手段と、を備えたことを特徴とする請求項１乃至８のいずれか１項に記載のデジタルカメラを提供する。
これにより、静止画像を切り取って静止画表示領域に表示する際には動画表示を停止するので、ユーザは、表示領域に表示された静止画を時間的余裕をもって見ることができる。
【手続補正１２】
【補正対象書類名】明細書
【補正対象項目名】００２１
【補正方法】変更
【補正の内容】
【００２１】
また、請求項１３に記載の発明では、スクロール指示操作手段によるスクロール動作がなされている間は、動画表示を停止する手段を備えたことを特徴とする請求項１乃至８のいずれか１項に記載のデジタルカメラを提供する。 
これにより、スクロール操作を行なう際には動画表示を停止するので、ユーザは表示領域に表示された静止画のスクロール操作に集中して所望の静止画を取得することができる。
【手続補正１３】
【補正対象書類名】明細書
【補正対象項目名】００２２
【補正方法】変更
【補正の内容】
【００２２】
また、請求項１４に記載の発明では、所定のアスペクト比の動画を記録し、再生時に、前記所定のアスペクト比よりも大きいワイドアスペクト比のモニタ画面に前記動画を再生可能なデジタルカメラの動画像編集方法において、再生時に、記録されている動画の中から所望の動画を選択するステップと、選択された動画を再生して前記モニタ画面上の所定の動画表示領域に再生表示するステップと、前記動画表示領域に表示されている動画から任意の静止画を切り取る切り取り指示を検出するステップと、前記切り取り指示を検出したとき、前記動画表示領域に表示されている動画から切り取り指示があった時点の静止画を切り取るステップと、切り取った静止画を前記モニタ画面上の所定の静止画表示領域に表示するステップと、を備えたことを特徴とする動画編集方法を提供する。
これにより、記録媒体に記録されている動画を再生して所望の静止画像を取得しようとする際にワイドアスペクト比のモニタ画面の領域を動画表示領域と静止画表示領域に分けて動画表示領域に動画を表示し、静止画表示領域に切り取った静止画を表示するので、切り取った静止画が動画上に重なって動画が見えなくなるようなことがない。また、動画と静止画が一定の位置に表示されるので、切り取った静止画がどこに表示されているかを探さなくてもよく、静止画が見やすい。つまり、本発明により、画面サイズ上の制限がないテレビ受信機やＤＶＤ等のような大きな画面サイズを備えた画像再生装置と比べるとサイズ上の制限により画面の活用方法が著しく制約されているデジタルカメラのワイドアスペクト比のモニタ画面の領域を有効に活用することができる。
【手続補正１４】
【補正対象書類名】明細書
【補正対象項目名】００２３
【補正方法】変更
【補正の内容】
【００２３】
また、請求項１５に記載の発明では、更に、動画再生前に、動画表示領域及び静止画表示領域を設定するステップを備えたことを特徴とする請求項１４に記載の動画編集方法を提供する。 
これにより、動画を表示する動画表示領域と切り取った静止画を表示する静止画表示領域を設定できるので、ワイドアスペクト比のモニタ画面の領域を有効に活用できる。
【手続補正１５】
【補正対象書類名】明細書
【補正対象項目名】００２４
【補正方法】変更
【補正の内容】
【００２４】
また、請求項１６に記載の発明では、静止画表示領域は複数の表示領域からなり、更に、スクロール指示を検出するステップと、第１の静止画表示領域に表示されている静止画像の前または後の静止画を動画から切り出すステップと、切り出した画像を表示するステップと、を備えたことを特徴とする請求項１４に記載の動画編集方法を提供する。 
これにより、ユーザが動画表示中にスクロール指示操作を行なう際、ユーザが所望する静止画像と切り出した画像が異なってもスクロール操作により、動画から前後の静止画像を切り出して所望の静止画像を取得することができる。
【手続補正１６】
【補正対象書類名】明細書
【補正対象項目名】００２５
【補正方法】変更
【補正の内容】
【００２５】
また、請求項１７に記載の発明では、静止画表示領域は複数の表示領域からなり、動画と静止画を入れ替えるための表示領域の指定を検出するステップと、動画表示領域に表示されている動画を指定された静止画表示領域に表示するステップと、指定された静止画表示領域に表示に表示されていた静止画を動画表示領域に表示するステップと、を備えたことを特徴とする請求項１４に記載の動画編集方法を提供する。 
これにより、静止画像表示領域に表示されている静止画像を動画表示領域で表示するので静止画を見やすい。また、動画表示領域に表示されていた動画は動画表示領域表示された静止画が表示されていた静止画表示領域に表示されるので、ユーザはその動画を見て切り取り指示操作を行なって動画から他の静止画を切り出すこともできる。
【手続補正１７】
【補正対象書類名】明細書
【補正対象項目名】００２６
【補正方法】変更
【補正の内容】
【００２６】
また、請求項１８に記載の発明では、請求項１４乃至１７のいずれか１項に記載の表示方法をデジタルカメラのコンピュータに実行させるプログラムを提供する。 
これにより、デジタルカメラはワイドアスペクト比のモニタ画面の動画表示領域に表示されている静止画の切り取り指示を検出すると、その静止画を切り出して所定の静止画表示領域に動画と重なることなく表示できる。
【手続補正１８】
【補正対象書類名】明細書
【補正対象項目名】００２７
【補正方法】変更
【補正の内容】
【００２７】
本発明によれば、サイズ上の制限により画面の活用方法が制約されているデジタルカメラのワイドアスペクト比のモニタ画面の領域を有効に活用することができる。